(57)【要約】【課題】微細な粉塵の飛散を抑制しつつ吸引性能の低下を防止できる電動バキュームを提供する。【解決手段】空気流路の途中に、空気流を発生させると共に吸い込んだ落ち葉等の塵芥を粉砕して排気側に送るファン５を備えた電動バキュームであって、ファン５の排気側にサイクロン装置Ｓを備えており、バキューム本体１には把持部としてのメインハンドル部２２が設けられ、該メインハンドル部２２の下側にサイクロン装置Ｓが設けられており、且つ、サイクロン装置Ｓの排気口Ｓ１が後側を向いている。【選択図】図１
2018153302.tif 000002
【特許請求の範囲】
【請求項１】
空気流路の途中に、空気流を発生させると共に吸い込んだ落ち葉等の塵芥を粉砕して排気側に送るファンを備えた電動バキュームであって、
ファンの排気側にサイクロン装置を備えていることを特徴とする電動バキューム。
【請求項２】
バキューム本体には把持部が設けられ、該把持部の下側にサイクロン装置が設けられており、且つ、サイクロン装置の排気口が後側を向いている請求項１記載の電動バキューム。
【請求項３】
サイクロン装置はバキューム本体に着脱自在に取り付けられる構成であって、バキューム本体には、サイクロン装置と通気性の集塵袋とが交換可能に取り付けられる構成である請求項１又は２記載の電動バキューム。
【発明の詳細な説明】
【技術分野】
【０００１】
本発明は、落ち葉等を吸い込んで集めるための電動バキュームに関する。
【背景技術】
【０００２】
例えば下記特許文献１のような電動バキュームでは、ファンの回転によって空気流を発生させて落ち葉等の塵芥を吸い込む。吸い込んだ落ち葉はファンによって粉砕されて集塵袋へ送られる。集塵袋は通気性を有しており、粉砕された落ち葉は集塵袋で濾過されて集められる。しかしながら、集塵袋が通気性を有しているため、微細な粉塵が集塵袋の目を通過して周囲に拡散する。これに対して、集塵袋の目を細かくすると、目詰まりが起こりやすくなって吸引性能が低下しやすい。逆に、集塵袋の目を荒くすると目詰まりは起こりにくくなるものの微細な粉塵が飛散しやすくなる。
【先行技術文献】
【特許文献】
【０００３】
【特許文献１】特許第３５０１７５０号公報
【発明の概要】
【発明が解決しようとする課題】
【０００４】
それゆえに本発明は上記従来の問題点に鑑みてなされ、微細な粉塵の飛散を抑制しつつ吸引性能の低下を防止できる電動バキュームを提供することを課題とする。
【課題を解決するための手段】
【０００５】
本発明は上記課題を解決すべくなされたものであって、本発明に係る電動バキュームは、空気流路の途中に、空気流を発生させると共に吸い込んだ落ち葉等の塵芥を粉砕して排気側に送るファンを備えた電動バキュームであって、ファンの排気側にサイクロン装置を備えていることを特徴とする。
【０００６】
該構成の電動バキュームにあっては、サイクロン装置が設けられているので、通気性を有しない非通気性のプラスチックフィルム製のゴミ袋を使用することができ、そのゴミ袋に塵芥を溜めることができる。従って、作業中に微細な粉塵が周囲に飛散しにくく、良好な作業環境で作業を行うことができる。また、溜まった塵芥を他のゴミ袋に移し替える必要がなくなり、溜まった塵芥をゴミ袋と共に廃棄処分することができる。そして、サイクロン装置を備えているので、吸引性能が低下しにくく、安定した吸引力で吸引作業を行うことができる。一方、吸い込んだ落ち葉等の塵芥はファンによって粉砕されて排気側へと送られる。ファンの排気側の塵芥はファンの吸気側の塵芥に比して小さくなっており、ファンの排気側の空気流路にサイクロン装置を設けることでサイクロン装置を小型化できる。
【０００７】
特に、バキューム本体には把持部が設けられ、該把持部の下側にサイクロン装置が設けられており、且つ、サイクロン装置の排気口が後側を向いていることが好ましい。尚、サイクロン装置の排気口が後側を向いているとは、サイクロン装置の排気口が真後ろを向いている場合のみならず、サイクロン装置の排気口が斜め上側を向いていてもよい。従って、サイクロン装置の中心軸は水平には限られず、前側が下側となり後側が上側となるように上下方向に傾斜していてもよい。更に、サイクロン装置の中心軸は左右方向に４５度以下の角度で傾斜していてもよい。何れにしても、サイクロン装置の排気口が前側を向いていたり真上や真横を向いていたりするのではなく後側を向いていることが好ましい。そして、この構成によると、把持部の下側にサイクロン装置が位置しているので、作業者が把持部を把持して作業を行う際にサイクロン装置が邪魔になりにくい。また、吸い込む対象物である落ち葉等を前側に位置する吸気口から吸い込む際に、サイクロン装置が作業者の視界を妨げない。更には、排気口が後側を向く姿勢でサイクロン装置が配置されているので、例えば排気口が右側や左側を向く姿勢でサイクロン装置が配置されている構成に比して電動バキュームの横幅が大きくなりにくい。作業者は把持部を右手で把持する場合には電動バキュームの左側に立って作業を行い、把持部を左手で把持する場合には電動バキュームの右側に立って作業を行うことが多い。そのため、電動バキュームの横幅が大きくなると作業を行いにくくなるが、上記構成とすれば電動バキュームの横幅が大きくなりにくいので、操作性が良好なものとなる。しかも、排気口が右側や左側ではなく後側を向いているので、電動バキュームの左側や右側に立っている作業者に、サイクロン装置から排出される排気風が当たりにくい。
【０００８】
また、サイクロン装置はバキューム本体の取付部に着脱自在に取り付けられる構成であって、バキューム本体の取付部には、サイクロン装置と通気性の集塵袋とが交換可能に取り付けられる構成であることが好ましい。このようにサイクロン装置が着脱自在に構成されて通気性の集塵袋と交換可能な構成とすれば、サイクロン装置と通気性の集塵袋とを状況に応じて使い分けることができる。例えば、大量の落ち葉を集める場合には大容量の通気性の集塵袋を使用することで効率良く作業を行うことができ、また、通気性の集塵袋はサイクロン装置に比して軽量であるという利点もある。
【発明の効果】
【０００９】
以上のように、サイクロン装置を備えたので、非通気性のゴミ袋に塵芥を溜めることができ、微細な粉塵の飛散が抑制される。またサイクロン装置を備えることで、吸引性能の低下を防止できる。更に、ファンの排気側にサイクロン装置を設けることで小型のサイクロン装置を使用することができ、電動バキュームを小型軽量化できる。
【図面の簡単な説明】
【００１０】
【図１】本発明の一実施形態における電動バキュームを示す一部破断線を含む断面図。
【図２】同電動バキュームのサイクロンユニットを取り外した状態を示す一部破断線を含む断面図。
【図３】同電動バキュームに袋ユニットを取り付けた状態を示す一部破断線を含む断面図。
【図４】図１のＡ−Ａ断面図。
【図５】同電動バキュームの要部を前側から見た図。
【図６】本発明の他の実施形態における電動バキュームを示す一部破断線を含む断面図。
【図７】図６のＢ−Ｂ断面図。
【発明を実施するための形態】
【００１１】
以下、本発明の一実施形態にかかる電動バキュームについて図１〜図５を参酌しつつ説明する。本実施形態の電動バキュームは、落ち葉等を吸引、粉砕して集めるバキューム機能（吸い込み機能）の他に、落ち葉等を地面の一箇所に集めるためのブロワ機能（吹き寄せ機能）も有していて、電動ブロワバキュームとも称されるものである。電動バキュームは、落ち葉等を吸い込むための空気流や落ち葉等に向けて送風するための空気流を発生させるためのファン５を備えていると共に、その空気流が通る空気流路を備えている。
【００１２】
電動バキュームは、図１〜図３のように吸気口１０と、集塵用の排気口１１と、ブロワ用の排気口１２とを有していて、空気流路は、吸気口１０と二つの排気口１１，１２との間を結んでいる。空気流路の途中にファン５が配置されている。ファン５はモータ４によって駆動され、ファン５が回転することで空気流が発生する。尚、図１〜図３では、モータ４やファン５の回転中心軸が前後方向に水平に延びている状態を図示しており、この状態を基準状態として以下説明する。但し、後述のようにダストケース７０の底面が地面と略平行となるようにダストケース７０を水平状態としたときが電動バキュームの基本となる吸い込み作業姿勢であって、その状態ではモータ４及びファン５の中心線は前側が下側となる前傾状態となる。尚、本実施形態では電源コード９を有する構成であるが、バッテリパックを備えたコードレスの構成であってもよい。
【００１３】
空気流路の途中にファン５が配置されていることから、空気流路は、ファン５よりも上流側の区間とファン５よりも下流側の区間に区分けされる。空気流路の全長のうちファン５より上流側の区間を吸気側の空気流路１３と称し、空気流路のうちファン５より下流側の区間を排気側の空気流路と称する。吸気口１０からファン５までの区間が吸気側の空気流路１３であり、ファン５から集塵用の排気口１１までの区間、及び、ファン５からブロワ用の排気口１２までの区間が排気側の空気流路である。
【００１４】
排気側の空気流路は途中で二つに分岐していて、その一方は集塵用の排気口１１に向い、他方はブロワ用の排気口１２に向かう。排気側の空気流路３の分岐点には切替弁としての切替ドラム６が設けられている。切替ドラム６は左右方向の軸線回りに回転する構成であって、切替ドラム６を回転操作することでバキューム機能とブロワ機能を切り替えることができる。
【００１５】
切替ドラム６はファン５の下側に所定距離離間した位置に配置されており、排気側の空気流路は、ファン５から切替ドラム６までの間は一本の経路であって、切替ドラム６から下流側は二本に分岐している。切替ドラム６で二本に分岐した排気側の空気流路のうち、一方は集塵用の排気口１１まで延びていて、他方はブロワ用の排気口１２まで延びている。従って、排気側の空気流路は、ファン５から切替ドラム６までの共通区間１４と、切替ドラム６から集塵用の排気口１１までの集塵区間１５と、切替ドラム６からブロワ用の排気口１２までのブロワ区間１６とから構成されている。図１〜図３は切替ドラム６を集塵側にセットした状態を示しており、ブロワ用の排気口へ向かうブロワ区間１６は切替ドラム６によって遮断されていて、共通区間１４を通ってきた空気流は全て集塵区間１５へと流れて集塵用の排気口１１へと向う。
【００１６】
電動バキュームは、バキューム本体１と該バキューム本体１の取付部２０に着脱可能に装着される集塵ユニットとを備えている。集塵ユニットとしては、サイクロンユニット２と袋ユニット３とがあり、その何れもバキューム本体１の同じ取付部２０に対して着脱自在に取り付けられるように構成されている。図１はバキューム本体１にサイクロンユニット２を取り付けた状態を示し、図２はそれを外した状態を示している。一方、図３はバキューム本体１に袋ユニット３を取り付けた状態を示している。このようにバキューム本体１は共用であって、バキューム本体１の一つの取付部２０に、サイクロンユニット２と袋ユニット３のうちの一方を取り付けて使用することができる。
【００１７】
バキューム本体１は、図１〜図３のように後側から前側に向けて斜め下側に延びるノズル部２１を備えており、ノズル部２１の前部の下部には車輪７が配備されている。ノズル部２１の内部の上部にはノズル部２１に沿って吸気側の空気流路１３が直線状に形成されており、ノズル部２１の前端部の上部に吸気口１０が開口している。吸気側の空気流路１３の下側にはブロワ区間１６が吸気側の空気流路１３と並列的に延びており、ノズル部２１の前端部の下部にブロワ用の排気口１２が開口している。従って、吸気口１０とブロワ用の排気口１２は上下に並んでいる。
【００１８】
バキューム本体１の上部には、後側に位置するメインハンドル部２２と、その前側に位置するサブハンドル部２３を備えている。本実施形態においてメインハンドル部２２とサブハンドル部２３が把持部を構成する。サブハンドル部２３はノズル部２１の後端部の上側に位置し、メインハンドル部２２はバキューム本体１の最後部に位置する。サブハンドル部２３とメインハンドル部２２の間の上面に、モータ４を作動、停止させるためのスイッチ２７が設けられている。
【００１９】
メインハンドル部２２の下側にモータ４が配置されている。モータ４は前後方向に延びる軸線回りに回転する。モータ４の前側にファン５が取り付けられていて、モータ４とファン５は同一線上にある。モータ４は、メインハンドル部２２よりも前側に位置し、サブハンドル部２３よりも後側に位置し、サブハンドル部２３に対して斜め下側且つ後側に位置している。
【００２０】
モータ４及びファン５の回転中心軸に対してノズル部２１は斜め下側に傾斜しており、ノズル部２１の後端部の後側にファン５が位置している。ファン５の回転方向は、図４のように前側から見たときにおいて反時計回りであって、ファン５が回転すると、吸気口１０から空気が吸い込まれてファン５に向かう。ファン５は、前側から来た空気を径方向外側に排出する構成になっていると共に、落ち葉等を粉砕することができるように構成されている。
【００２１】
図４のように、ファン５の周囲にはファン５の周囲を略一周分に亘って周回する空気流路が形成されている。該ファン５を周回する空気流路は、排気側の空気流路のうちの上流側の区間であって共通区間１４となっている。共通区間１４は、ファン５の回転方向に沿って徐々に大径となるように形成されている。詳細には、共通区間１４は前側から見て右下の位置から反時計回りに徐々に大径化して左下の位置で最も大径となる。従って、共通区間１４の断面積は、ファン５の回転方向に沿って徐々に増加してファン５の下側位置において最も大きくなっている。そして、共通区間１４は、ファン５の下側位置において切替ドラム６に達する。切替ドラム６から下側に向けて短い長さで集塵区間１５が延びていて、集塵用の排気口１１が下側であって且つ斜め後方に開口している。上述したサイクロンユニット２や袋ユニット３が取り付けられる取付部２０は、バキューム本体１の下部にあって、集塵用の排気口１１の周囲に設けられている。一方、切替ドラム６からブロワ区間１６が前側に向けて延びている。ブロワ区間１６は、切替ドラム６を前側に出た後にやや上側に向かい、その後、ノズル部２１に沿って前側に向けて徐々に下降している。ブロワ区間１６は、ノズル部２１の内部のうちの下部を占めている。尚、バキューム本体１の内部空間は、左右二つ割り構成のハウジングが互いに接合一体化されて形成される。
【００２２】
＜サイクロンユニット２＞
電動バキュームは、ファン５によって粉砕された落ち葉等の塵芥を濾過して集めるためのサイクロンユニット２を備えている。サイクロンユニット２は、取り付けホルダ５０と、ユニット本体と、ダストケース７０とを備えている。取り付けホルダ５０は、サイクロンユニット２をバキューム本体１の取付部２０に取り付けるための部材である。取り付けホルダ５０は、前端部に位置する前側の係止部５１と後端部に位置する後側の係止部５２とを備えていて、前後二つの係止部５１，５２によってバキューム本体１の下部に着脱自在に取り付けられるように構成されている。前側の係止部５１は、バキューム本体１の下部に設けられた前側の本体係止部２４に係止されて、取り付け、取り外しの際に回動支点となる。後側の係止部５２は後側の本体係止部２５に係止され、押圧によって係止状態を解除できる構成となっている。サイクロンユニット２をバキューム本体１に着脱する際には、前側の係止部５１を前側の本体係止部２４に係止して、前側の係止部５１を支点としてサイクロンユニット２を左右方向の軸線まわりに上下に回動させる。
【００２３】
ユニット本体は、サイクロン装置Ｓを備えたサイクロンユニット２の主要部分であって、取り付けホルダ５０の下側にネジ等により取り付けられている。ユニット本体は、粉砕された落ち葉等の塵芥を濾過するためのものである。ユニット本体は、外筒部６１を有するサイクロンハウジング６０と、該サイクロンハウジング６０に取り外し可能に装着される内筒体６２とを備えている。本実施形態においてサイクロンハウジング６０の外筒部６１と内筒体６２とからサイクロン装置Ｓが構成されている。サイクロンハウジング６０は、取り付けホルダ５０に取り付けられる。
【００２４】
サイクロンハウジング６０は、バキューム本体１の集塵用の排気口１１と接続される接続用開口部６３を備えた外筒部６１と、ダストケース７０の上面開口部を覆うための蓋部６４とを備えている。外筒部６１は、その中心線の方向（軸線方向）が前後方向となり且つ前端が後端に対して下側に位置する前傾の傾斜姿勢で配置されている。従って、外筒部６１はノズル部２１と略平行に延びている。外筒部６１は、全体としてモータ４の下側に位置すると共にメインハンドル部２２及びサブハンドル部２３の下側に位置しており、詳細には、外筒部６１の後端部はメインハンドル部２２の下側に位置し、外筒部６１の前端部はサブハンドル部２３の下側に位置している。外筒部６１の両端部は何れも開口している。外筒部６１の接続用開口部６３は、外筒部６１の後部であって且つ上部に形成されている。接続用開口部６３は、集塵用の排気口１１と対峙するため、上側であって且つ斜め前方に開口している。
【００２５】
内筒体６２は外筒部６１の後端部から外筒部６１の内側に挿入される。内筒体６２は、サイクロンハウジング６０の外筒部６１の内側に間隔をあけつつ同軸上に位置しており、内筒体６２と外筒部６１との間には筒状の空間が形成されている。従って、内筒体６２もノズル部２１と略平行に延びている。内筒体６２は、一端閉塞、他端開口の筒体であって、閉塞側が前側となり、開口側が後側となるようにして外筒部６１の内側に装着されている。内筒体６２の後端部には環状の鍔部６５が形成されており、該鍔部６５が、内筒体６２と外筒部６１との間に形成された筒状の空間の後端部を閉塞する。内筒体６２の周壁部６６は閉塞側である前端部に向けて徐々に小径となるテーパ形状となっている。従って、外筒部６１と内筒体６２との間に形成された筒状の空間は、後側から前側に向けて徐々に拡がっている。内筒体６２の周壁部６６には多数の小孔６７が形成されている一方、内筒体６２の底面部である前壁部６８には小孔６７が形成されていない。内筒体６２の周壁部６６の大部分に小孔６７が形成されているが、集塵用の排気口１１及び外筒部６１の接続用開口部６３を介して送られてくる塵芥が小孔６７に入らないようにするために、図４のように、周壁部６６のうち後部であって且つ上部には、周壁部６６の全周のうち小孔６７が形成されていない領域がある。小孔６７が形成されていない領域は、全周のうち接続用開口部６３に面した部分である。内筒体６２の前端部（前壁部６８）は外筒部６１の前端部と前後方向の位置が略同じになっている。
【００２６】
内筒体６２の中心線及び外筒部６１の中心線はサイクロン装置Ｓの中心線である。従って、サイクロン装置Ｓはノズル部２１と略平行である。サイクロン装置Ｓの中心線の左右方向の位置は、ファン５の中心線の左右方向の位置と略同じである。より詳細には、図４のようにサイクロン装置Ｓの中心線の左右方向の位置は、ファン５の中心線の左右方向の位置に対して若干左右方向にオフセットしており、そのオフセットの方向は、電動バキュームを前側から見たときにおいて向かって左側である。上述のようにファン５は前側から見たとき反時計回りに回転し、ファン５を周回する共通区間１４において空気流は前側から見て反時計回りに流れる。一方、サイクロン装置Ｓにおいては、外筒部６１と内筒体６２のとの間の筒状の空間を空気流が前側から見て時計回りに流れる。このようにファン５の回転方向及びファン５を周回する共通区間１４における空気流の流れ方向と、サイクロン装置Ｓにおける空気流の流れ方向とは逆になっている。
【００２７】
そして、外筒部６１と内筒体６２との間の筒状の空間には集塵用の排気口１１から空気流と共に粉砕された塵芥が送られる。塵芥は筒状の空間を空気と共に周回する。空気は内筒体６２の周壁の小孔６７を内側に通過して内筒体６２の後端開口部から外部に排出される。このように内筒体６２の後端開口部がサイクロン装置Ｓの排気口Ｓ１となる。塵芥は筒状の空間を螺旋を描くように周回しながら前側に向い、外筒部６１の前端開口部から下方へ排出されてダストケース７０内へ落下していく。
【００２８】
ダストケース７０は、サイクロンハウジング６０の蓋部６４に下側から着脱自在に装着される。ダストケース７０は、上面開口の有底のボックス形状であって、通気性を有していない非通気性のものであり、合成樹脂製が好ましい。本実施形態では前後方向に長い直方体形状である。上述のようにモータ４及びファン５の中心線を水平とした基準状態においては、ダストケース７０は後方に所定角度傾斜した状態にある。但し、ダストケース７０の底面が地面と略平行となるようにダストケース７０を水平状態としたときが電動バキュームの基本となる吸い込み作業姿勢であって、その状態ではモータ４及びファン５の中心線は前側が下側となる傾斜状態となる。
【００２９】
ダストケース７０の上端部には係止部７１が前後一対設けられていて、サイクロンハウジング６０の蓋部６４にはそれに対応して係止部６９が前後一対設けられている。ダストケース７０の前後一対の係止部７１を蓋部６４の前後一対の係止部６９にそれぞれ係止させることで、ダストケース７０を蓋部６４に装着できる。ダストケース７０を蓋部６４に装着することで、ダストケース７０の上面開口部が蓋部６４によって閉塞される。図１においてダストケース７０を蓋部６４から取り外した状態を二点鎖線で示している。
【００３０】
ダストケース７０は、保形性を有しており、空の状態であってもそのボックス形状をそれ自身の剛性によって維持する。ダストケース７０の少なくとも一部を透明として外部から内部が視認できるようにすることが好ましい。本実施形態では、ダストケース７０の側壁部に透明な窓部７２が設けられており、その窓部７２から内部の状態を外部から視認可能となっている。ダストケース７０の内側には非通気性のゴミ袋７３が装着され、そのゴミ袋７３に塵芥を溜めることができる。ゴミ袋７３は汎用のものでもよいし専用のものでもよい。蓋部６４からダストケース７０を外すことでゴミ袋７３を交換することができる。
【００３１】
＜袋ユニット３＞
図３にバキューム本体１に袋ユニット３を取り付けた状態を示している。袋ユニット３は、柔軟性及び通気性を有する布を主材料とした集塵袋８０と、該集塵袋８０をバキューム本体１の取付部２０に着脱自在に取り付けるための取り付けホルダ５０とを備えている。袋ユニット３の取り付けホルダ５０は、サイクロンユニット２の取り付けホルダ５０と共通の仕様であり、袋ユニット３とサイクロンユニット２には、共通の取り付けホルダ５０が使用されている。集塵袋８０の後面側にはファスナーによって開閉可能な廃棄口（図示省略）が設けられており、内部に溜まった塵芥を廃棄口から取り出して他のゴミ袋に入れ替えて廃棄処分できる。集塵袋８０は、バキューム本体１のノズル部２１の下面に設けられたフック２６に引っ掛けることができるリング８を備えている。
【００３２】
以上のように構成された電動バキュームにあっては、集塵ユニットとしてサイクロンユニット２が装着されているので、非通気性のゴミ袋７３を使用することができ、そのゴミ袋７３に塵芥を溜めることができる。従って、作業中に微細な粉塵が周囲に飛散しにくく、良好な作業環境で作業を行うことができる。また、溜まった塵芥を他の袋に移し替える必要がなくなり、溜まった塵芥をゴミ袋７３と共にダストケース７０から取り出して廃棄処分することができる。
【００３３】
また、サイクロン装置Ｓを備えているので、吸引性能が低下しにくく、安定した吸引力で吸引作業を行うことができる。そして、ファン５の排気側の塵芥はファン５の吸気側の塵芥に比して小さくなっており、サイクロン装置Ｓがファン５の排気側に設けられているので、小型のサイクロン装置Ｓで済み、電動バキュームを小型化できる。
【００３４】
更に、サイクロン装置Ｓがメインハンドル部２２の下側に配置されているので、サイクロン装置Ｓが作業の邪魔になりにくく、また、吸気口１０から落ち葉等を吸い込む際に、サイクロン装置Ｓが作業者の視界を妨げず、吸引作業を行いやすい。また、サイクロン装置Ｓの排気口Ｓ１が後側を向いているので、例えばサイクロン装置Ｓの排気口Ｓ１が右側や左側を向いている場合に比してサイクロンユニット２の横幅が大きくならず、従って、電動バキュームの横幅を抑制でき、作業が行いやすい。しかも、サイクロン装置Ｓの排気口Ｓ１が右側や左側ではなく後側を向いているので、電動バキュームの左側や右側に立って作業を行う作業者に、サイクロン装置Ｓの排気風が当たりにくい。ダストケース７０も前後方向に長い直方体形状となっているので、横幅を抑制できる。また、サイクロン装置Ｓが水平姿勢ではなくノズル部２０と同様に前側が下がった前傾姿勢となっているので、塵芥が外筒部６１の前端開口部からダストケース７０にスムーズに落下する。
【００３５】
また、ファン５の回転方向とサイクロン装置Ｓにおける空気流の回転方向（周回方向）とが逆向きとなっているので、ファン５の周囲を周回する空気流がサイクロン装置Ｓへとスムーズに流れ込むことができる。また、サイクロン装置Ｓの中心線をファン５の中心線に左右方向において接近させることが容易になり、サイクロンユニット２がバキューム本体１に対して側方に大きくはみ出すことを防止できて電動バキュームの横幅を抑制できる。
【００３６】
更に、サイクロンユニット２と袋ユニット３とが何れもバキューム本体１の取付部２０に着脱自在であって、サイクロンユニット２と袋ユニット３を任意に交換できる。そのため、サイクロンユニット２と袋ユニット３を状況に応じて使い分けることができる。例えば、上述したようなサイクロンユニット２のメリットを享受したい状況ではサイクロンユニット２をバキューム本体１に装着して作業を行うことができ、逆に、大量の落ち葉を集める場合や軽量であるという利点を活かして作業を行いたい場合等では、袋ユニット３を装着して作業を行うことができる。
【００３７】
尚、本実施形態ではサイクロンユニット２が着脱可能に構成されていてそれを取り外した上で袋ユニット３に交換することができる構成であったが、サイクロンユニット２が取り外し不能であってサイクロン装置Ｓがバキューム本体１に分離不能に一体構成されたものであってもよい。
【００３８】
また、上記実施形態ではブロワ機能を有する装置について説明したが、ブロワ機能を有さず、従って、ブロワ用の排気口１２や切替ドラム６を有していない構成であってもよい。
【００３９】
更に、サイクロン装置Ｓの配置態様も種々変更可能であって、上述のように把持部としてのメインハンドル部２２及びサブハンドル部２３の下側に配置した構成には限れられず、例えば、図６のように把持部であるハンドル部９０の前側にサイクロン装置Ｓが位置する構成であってもよい。図６に示す電動バキュームは、縦型タイプであって、車輪７の前側に吸気口１０が下側に向けて開口していて、車輪７から上側に離れた位置にファン５とモータ４が配置されている。詳細には、ファン５とモータ４は、車輪７の真上に離間して位置している。ファン５の中心線とモータ４の中心線は上下方向を向いており、モータ４とファン５は同一線上にあってモータ４はファン５の上側に位置している。ノズル部２１は吸気口１０から車輪７に向けて後側に延びた後に上昇してファン５に達する。ノズル部２１の内側に形成されている吸気側の空気流路１３もノズル部２１の形状に沿って形成されており、吸気口１０から後側に延びた後に上昇してファン５に達している。ハンドル部９０は、モータ４よりも上側且つ後側に位置している。ハンドル部９０は、後側に向けて略水平あるいは若干下側に傾斜しつつ延びていてその下面にはモータ４を作動、停止させるためのスイッチ２７が設けられている。
【００４０】
排気側の空気流路９１は、ファン５から前側に形成されており、ファン５の排気側にサイクロン装置Ｓが設けられている。排気側の空気流路９１は、ファン５から前側に向かった後に上側に向かってサイクロン装置Ｓにつながっている。サイクロン装置Ｓは上下方向の中心線を有するように配置されている。従って、サイクロン装置Ｓとファン５とは何れも上下方向に沿って配置されていて平行関係にある。上述と同様にサイクロン装置Ｓは、外筒部６１と内筒体６２（内筒部）とを備えている。外筒部６１の中心線と内筒体６２の中心線は同軸上にあって上下方向に沿っている。図７のように、ファン５は、下側から見て反時計回りに回転し、従って、空気流はファン５の回りを下側から見て反時計回りに流れていく。一方、サイクロン装置Ｓにおいては空気流は下側から見て時計回りに流れていく。このように、サイクロン装置Ｓにおける空気流の回転方向とファン５の回転方向及びファン５の周囲を流れる空気流の回転方向とは、逆向きとなっている。そして、ファン５の中心線とサイクロン装置Ｓの中心線とは左右方向の位置が同じであってオフセットなしの配置となっている。そして、サイクロン装置Ｓの直下にダストケース７０が着脱自在に取り付けられている。排気側の空気流路９１がファン５からサイクロン装置Ｓの間において上昇していてサイクロン装置Ｓの高さがファン５及びモータ４の高さと略同じ高さに設定されているので、サイクロン装置Ｓとノズル部２１との間の離間距離を長くすることができ、サイクロン装置Ｓとノズル部２１との間に大きなダストケース７０を配備できる。尚、ダストケース７０はノズル部２１の下部から前側にはみ出さないように配置されている。
【符号の説明】
【００４１】
１    バキューム本体
２    サイクロンユニット
３    袋ユニット
４    モータ
５    ファン
６    切替ドラム
７    車輪
８    リング
９    電源コード
１０    吸気口
１１    集塵用の排気口
１２    ブロワ用の排気口
１３    吸気側の空気流路
１４    共通区間（排気側の空気流路）
１５    集塵区間（排気側の空気流路）
１６    ブロワ区間（排気側の空気流路）
２０    取付部
２１    ノズル部
２２    メインハンドル部
２３    サブハンドル部
２４    前側の本体係止部
２５    後側の本体係止部
２６    フック
２７    スイッチ
５０    取り付けホルダ
５１    前側の係止部
５２    後側の係止部
６０    サイクロンハウジング
６１    外筒部（サイクロン装置）
６２    内筒体（サイクロン装置）
６３    接続用開口部
６４    蓋部
６５    鍔部
６６    周壁部
６７    小孔
６８    前壁部
６９    係止部
７０    ダストケース
７１    係止部
７２    窓部
７３    ゴミ袋
８０    集塵袋
９０    ハンドル部（把持部）
９１    排気側の空気流路
Ｓ    サイクロン装置
Ｓ１  サイクロン装置の排気口
【図１】
2018153302.tif 000003
【図２】
2018153302.tif 000004
【図３】
2018153302.tif 000005
【図４】
2018153302.tif 000006
【図５】
2018153302.tif 000007
【図６】
2018153302.tif 000008
【図７】
2018153302.tif 000009